(57)【要約】      （修正有）【課題】人件費及びコストを抑えることができ、重複して使用できる梱包スタンドの構造を提供する。【解決手段】数本の横棒１、縦棒２、第一接続棒３、第二接続棒５、第一接続部品４、第二接続部品６で構成する梱包スタンドの構造である。その結果、多種多様な形状の物品や多種多様な規格の物品に適用でき、適用範囲が広く、同時に物品に合わせた梱包が行える。また、各種物品を、防振性を有して、安全に安定して設置できる。また、梱包に際し、木材や発泡スチロールなどの梱包材料が不要な他、物品の箱詰めが必要なく、エコである上、梱包後の物品同士がぶつかり合うことで物品が損傷することを避けることができる。【選択図】図１
0003155057.tif 000002
【実用新案登録請求の範囲】
【請求項１】
Ｕ字型の数本の横棒と縦棒、第一接続棒、第二接続棒、第一接続部品、第二接続部品を含み、
数本のＵ字型の前記横棒は、それぞれ上下壁面及び接続壁を有し、該接続壁の両側は固定部品を介して縦棒と接続され、前記上壁面は固定部品を介して前記第一接続棒及び前記第二接続棒の両側と接続固定され、前記上壁面には、数個の定置孔が設けられ、
数本のＵ字型の前記縦棒は、それぞれ内外壁面及び接続壁を有し、前記縦棒の接続壁は、固定部品を介して横棒が接続固定され、前記内壁面は、固定部品を介して前記第一接続棒が接続固定され、
数本のＵ字型の前記第一接続棒は、それぞれ上下壁面及び接続壁を具有し、前記第一接続棒の前記下壁面の両側はそれぞれ各前記横棒に接続され、前記第一接続棒の接続壁の両側は前記縦棒と接続固定され、前記第一接続棒の各上壁面には数個の長方形孔及び数個の定置孔が形成され、
前記第二接続棒は、Ｕ字型を呈し、内外壁面と、接続壁とを有し、前記第二接続棒の接続壁の両側は、固定部品を介して、前記横棒の上壁面にある定置穴に接続固定され、前記第二接続棒の各接続壁には、数個の長方形孔が形成され、該孔は、固定部品が用いられて、前記第二接続部品の片側と接続固定され、
前記第一接続部品は、それぞれ９０度角に曲げられたＳ字型を呈し、底壁面と接続壁と上壁面とを有し、前記第一接続部品の上壁面に数個の定置付け孔が形成され、前記第一接続部品の各底壁面は、それぞれ固定部品が用いられ、前記第一接続棒の前記上壁面の前記長方形孔に接続固定され、
前記第二接続部品は、Ｌ字型を呈し、固定壁と吊掛壁とを有するとともに、それぞれ長方形孔が形成され、前記固定壁の長方形孔は、固定部品により、前記第二接続棒の前記接続壁にある前記長方形孔に接続固定されていることを特徴とする梱包スタンドの構造。
【考案の詳細な説明】
【技術分野】
【０００１】
本考案は、梱包スタンド構造に係わり、詳しくは、多種多様な形状の物品や多種多様な規格の物品を、間隔を開けて梱包することができ、安定性及び防振性に優れ、梱包した物品が傷付くのを防止でき、梱包材料が不要な他、重複して使用できてエコであり、且つパッキング、保存及び運輸に便利な梱包スタンド構造に関する。
【背景技術】
【０００２】
一般的に、物品を箱詰めする際、物品が傷付くのを避けるため、物品を梱包材料で覆ってから箱詰めするが、物品を工場或いは他の場所に運送する際、及び物品を保存する際、物品の梱包や箱詰めは非常に煩雑である。また、梱包材料を用いた物品の梱包及び箱詰めは比較的高いコストを要する。
【０００３】
そこで、特許文献１には、梱包材料を用いて物品を梱包したり箱詰めしたりすることなく物品を梱包して、物品の輸送及び保存を行うことができる梱包スタンド構造が開示されている。  
【先行技術文献】
【特許文献】
【０００４】
【特許文献１】実用新案第３０９７４１５号公報
【考案の概要】
【考案が解決しようとする課題】
【０００５】
しかしながら、特許文献１に記載の梱包スタンド構造は、多種多様な形状の物品や多種多様な規格の物品の位置決めを容易に行えないばかりか、これらの物品を梱包することができないといった問題があった。
【０００６】
本考案は、上記問題点に鑑みてなされたものであり、多種多様な形状の物品や多種多様な規格の物品を、安定して梱包することができ、防振性及び安全性に優れた梱包スタンド構造を提供することにある他、梱包材料及び物品の箱詰めを必要とせずとも、梱包後の物品同士が互いにぶつかりあって傷付いてしまうのを避けられる梱包スタンド構造を提供することにある他、底部に設けたスペースにフォークリフトのフォークが挿入可能であるとともに、上部に、クレーンのフックを通すことができ、移動或いは保存、運輸を容易に行うことができる梱包スタンド構造を提供する他、物品を梱包する際、物品の位置調整や位置決めがしやすい梱包スタンド構造を提供することを目的とする。
【課題を解決するための手段】
【０００７】
前記課題を解決する梱包スタンドの構造を、本考案は提供する。本考案の梱包スタンドは、多種多様な形状の物品や多種多様な規格の物品に適用でき、防振性及び安全性に優れていることから、物品を安定して梱包できる。
【０００８】
また、本考案によれば、木材や発泡スチロールなどの梱包材料及び箱詰めを必要としない上、物品同士がぶつかり合って傷付くことがないなど、梱包材料及び人件費を節約することができる他、梱包スタンドは再利用できるなど、経済的且つエコである。
【０００９】
さらに本考案によれば、梱包スタンドの底部に二本の横棒が設けられていることから、二本の横棒によって形成されたスペースにフォークリフトのフォークを挿入することができる。
【００１０】
また、梱包スタンドの上部に設けられた接続棒の上壁面にある定置孔に、クレーンのフックを引っ掛けることができる。その結果、梱包スタンドの工場内での移動或いは保存、または、施工場所への設置やコンテナまでの運搬に大変便利である。
【００１１】
さらに、本考案の梱包スタンドは、各種物品を梱包する際、物品の位置調整及び位置決めがしやすい。
【考案の効果】
【００１２】
木材や発泡スチロールなどの梱包材料を必要とせず、梱包スタンドに梱包した物品同士がぶつかり合うことで物品が損傷してしまうことを避けることができる。また梱包スタンドの底部に設けたスペースにフォークリフトのフォークを挿入することができ、梱包スタンドの上壁面に設けた定置孔にクレーンのフックを引っ掛けることができることにより、梱包スタンドの移動を容易に行うことができる。
【図面の簡単な説明】
【００１３】
【図１】本考案の梱包スタンド構造を示す斜視図
【図２】図１の梱包スタンド構造の一部を拡大して示す部分分解斜視図
【図３】図１の梱包スタンドに物品を梱包した状態を示す斜視図
【図４】図３の梱包スタンドの上部の一部を拡大して示す斜視図
【図５】図３の梱包スタンドを、側方からみた部分拡大斜視図
【考案を実施するための形態】
【００１４】
以下、図面を参照して本考案の実施の形態を説明する。  
図１から図５に示すのは、本考案の梱包スタンド構造である。図１、図２に示すように、梱包スタンドは、複数本の横棒１を有する。横棒１は、上壁面１１と、下壁面１３と、上壁面１１及び下壁面１３を接続する接続壁１２とを有する。
【００１５】
接続壁１２の両側は、固定部品７１によって、縦棒２に接続され、該上壁面１１の両側は、固定部品７２により、第一接続棒３に接続固定されている。また、上壁面１１には、別途複数個の孔(図に未掲載)が設けられている。
【００１６】
４本の縦棒２は、Ｕ字型を呈し、内壁面２１と、外壁面２３と、接続壁２２とを有している。また、縦棒２は、各接続壁２２の端から少し離した箇所において、固定部品７１により、横棒１が接続固定されている。また、縦棒２は、各内壁面２１の端から少し離した箇所において、固定部品７３により、数本の第一接続棒３が接続固定されている。
【００１７】
数本の第一接続棒３は、Ｕ字型を呈し、上壁面３１と、下壁面３３と、接続壁３２とを有している。各下壁面３３の両側は、それぞれ横棒１に接続され、各接続壁３２の両側は、縦棒２に接続固定さている。また、上壁面３１に、所定間隔を有して、複数個の長方形孔３１１と、数個の定置孔３１２が設けられている。
【００１８】
第一接続部品４は、９０度角に曲げられた略Ｓ字型を呈し、底壁面４１と、接続壁４２と、上壁面４３とを有している。また、上壁面４３に、複数個の定置孔４３１が設けられている。
【００１９】
底壁面４１は、固定部品７４により、第一接続棒３の上壁面３１の長方形孔３１１に、接続固定される。
【００２０】
第二接続棒５は、Ｕ字型を呈し、内壁面５１と、外壁面５３と、接続壁５２とを有している。接続壁５２の両側は固定部品７５を介し、横棒１の上壁面１１にある定置穴(図に未掲載)に接続固定されている。また、接続壁５２に数個の長方形孔５２１が設けられており、第二接続棒５は、固定部品７６が用いられて、長方形孔５２１に対し、第二接続部品６の片側が接続固定されている。
【００２１】
図２、図５に示すように、第二接続部品６は、Ｌ字型を呈し、固定壁６１と、吊掛壁６２とを有している。また、固定壁６１には、長方形孔６１１が形成されており、吊掛壁６２には、長方形孔６２１が形成されている。固定壁６１の長方形孔６１１は、固定部品７６により、第二接続棒５の接続壁５２にある長方形孔５２１と接続固定される。
【００２２】
図２、図４に示すように、両サイドにある二本の第一接続棒３の上壁面３１に有する数個の長方形孔３１１のうち一つが、数個の大型物品８１、８４の両側にある下折壁８１１、下折壁８４１に設けられた穴８１１１、８４１１に、固定部品７７を使って接続固定される。
【００２３】
図２、図３に示すように、真ん中二本の第一接続棒３にある各長方形孔３１１に設けられる数個の第一接続部品４の定置孔４３１は、それぞれ小型物品８２の両側にある下折壁８２１に設けられた孔(図に未掲載)に対して、固定部品７８を使って接続固定される。
【００２４】
第二接続棒５がそれぞれ接続される数個の第二接続部品６の吊掛壁６２の長方形孔６２１は、固定部品７９を使って、別の物品８３(図３、図５を参照)の壁面８３１に設けた定置孔(図に未掲載)に接続固定される。
【００２５】
また、別の物品８３の下方にある折壁８３２に設けられた定置孔(図に未掲載)は、固定部品７０により、第一接続棒３と接続する第一接続部品４の定置孔４３１に対し接続固定されることで、梱包スタンドを、多種多様な形状の物品や多種多様な規格の物品(機械の蓋やパイプ類、配電盤のケースなど)の梱包に適用する目的に際し、物品を安定して梱包できることから、防振性及び安全性に優れた効果に達する。
【００２６】
また、木材や発泡スチロールなどの梱包材料を必要とせず、物品の箱詰めも必要ないなど、エコである上、梱包後の物品同士がぶつかり合うことで物品が損傷することを避けることができる。また物品を、梱包材料を用いて梱包する手間が省けるため、人件費及びコストを節約することができ、梱包スタンドを重複して何度も使用することができ、実用性を兼ね備える。
【００２７】
また、図３に示すように、横棒１の間にあるスペース１０に、フォークリフトのフォークを挿入することができる。
【００２８】
さらに、図２に示すように、二本の第一接続棒３の上壁面３１にある定置孔３１２に、クレーンのフックを引っ掛けることができる。
【００２９】
よって、梱包スタンドを組み立てて、定置した後でも、工場内に関わらす、施工場所やコンテナでの移動が容易となる。
【００３０】
このような構成を有する本考案によれば、図２〜図５に示すように、多種多様な形状や多種多様な規格を有する機械蓋やパイプなどの物品を梱包することができるとともに、物品を安定して梱包できる。また、本考案の梱包スタンドは、防振性及び安全性に優れている。
【００３１】
具体的には、木材や発泡スチロールなどの梱包材料を用いた梱包や、箱詰めを必要としないことから、梱包後の物品同士がぶつかり合うことで損傷することがない。よってエコであり、人件費やコストを下げることができるほか、本考案の梱包スタンドを繰り返し利用することができるといった実用性を持つ。
【００３２】
また、二本の横棒１の間にできたスペース１０に、フォークリフトのフォークを挿入することができ、第一接続棒３の上壁面３にある定置穴３１２に、クレーンのフックを入れることができるため、梱包スタンドの組立定置後は、工場内或いは施工場所へのコンテナでの移動等が、大変容易となる。
【００３３】
さらに、各第一接続棒３の上壁面３１にある数個の長方形孔３１１は、数個の大型物品８１、８４を位置調整して固定するのに便利であり、その調整操作が簡単である。また、第二接続棒５は、各長方形孔５２１を第二接続部品６にある長方形穴６１１に対して、固定部品７６によって固定することができることから、各長方形孔５２１、６２１を使って、便利に別の物品８３の位置調整することができる。
【００３４】
また、第二接続部品６の吊掛壁６２にある長方形孔６２１を用いることにより、別の物品８３と位置を合わせて固定することができる。また、各第一接続棒３は長方形孔３１１の調整を介し、第一接続部品４の位置と合わせることで、サイズの異なる小型物品８２を固定することができる。    
また、折壁８３２を有し、壁面８３１に孔(図に未掲載)を有する別の物品８３を梱包できるなど、適用範囲を拡大することができる。
【符号の説明】
【００３５】
１…横棒
１０…スペース
１１、３１、４３…上壁面
３１２、４３１…定置孔
１２、２２、３２、４２、５２…接続壁
１３、３３…下壁面
２…縦棒
２１、５１…内壁面
２３、５３…外壁面
３…第一接続棒
３１１、５２１、６１１、６２１…長方形孔
４…第一接続部品
４１…底壁面
５…第二接続棒
６…第二接続部品
６１…固定壁
６２…吊掛壁
８１、８４…大型物品
７０〜７９…固定部品
８１１、８２１、８４１…下折壁
８１１１、８４１１…孔
８２…小型物品
８３…別の物品
８３１…壁面
８３２…折壁
【図１】
0003155057.tif 000003
【図２】
0003155057.tif 000004
【図３】
0003155057.tif 000005
【図４】
0003155057.tif 000006
【図５】
0003155057.tif 000007